(57)【要約】【課題】ユーザの利便性及びセキュリティレベルが向上する印刷装置を提供する。【解決手段】液晶表示パネルは、「別」ボタンの位置を除いて、左画面及び右画面で同一のパスワード入力画面を表示する。左画面の「別」ボタンが押された場合、右画面は変化せず、左画面は、テンキーの位置、パスワード表示ウィンドウの位置が右画面と異なる位置の画面となる。また、「戻」ボタンが左画面と右画面とで異なる位置に表示される。複数のユーザが同時に親展印刷のためのパスワード入力が可能になり、他のユーザが、例えば、左画面で操作中の場合でも、別のユーザが、親展印刷を行うための操作を右画面で行うことができる。また、右画面と左画面とは異なって見えるため、同時に操作中でも他人に自分のパスワードが漏洩することを防止することができ、ユーザの利便性及びセキュリティレベルが向上する。【選択図】図２
2008155599.tif 000002
【特許請求の範囲】
【請求項１】
所定の操作を受け付ける操作部を備え、該操作部で受け付けた認証情報に基づいて、親展印刷を行う印刷装置において、
前記操作部は、
異なる視点に対して異なる画面を表示する表示面を備え、
該表示面に表示した異なる画面それぞれで認証情報を受け付け可能に構成してあることを特徴とする印刷装置。
【請求項２】
操作を受け付けるための複数の操作キーを前記異なる画面それぞれで異なる位置に表示すべく制御する制御手段を備えることを特徴とする請求項１に記載の印刷装置。
【請求項３】
前記表示面に表示した異なる画面に親展印刷の優先順位を設定する設定手段を備え、
前記画面それぞれで認証情報を受け付けた場合、前記設定手段で設定した優先順位に基づいて、親展印刷を行うように構成してあることを特徴とする請求項１又は請求項２に記載の印刷装置。
【請求項４】
前記表示面に表示した異なる画面それぞれは、受け付ける操作が異なる操作画面を表示可能に構成してあることを特徴とする請求項１又は請求項２に記載の印刷装置。
【請求項５】
前記表示面に表示した画面の一方が親展印刷のための認証情報受付画面である場合、他方は認証情報受付画面以外の画面であることを特徴とする請求項１又は請求項２に記載の印刷装置。
【請求項６】
前記表示面に表示した画面の一方が親展印刷のための認証情報受付画面である場合、該認証情報受付画面を他方の画面に移動するための移動キーを該認証情報受付画面に表示するように構成してあることを特徴とする請求項１又は請求項２に記載の印刷装置。
【請求項７】
前記操作画面は、親展印刷のための認証情報受付画面に移行するための移行キーを表示するように構成してあり、
前記表示面に表示した画面の一方で親展印刷のための認証情報を受け付けた場合に、他方に表示した操作画面で移行キーが操作されたとき、該操作画面は、認証情報受付画面に移行するように構成してあることを特徴とする請求項４に記載の印刷装置。
【請求項８】
前記表示面に表示した画面の優先順位が高い方で親展印刷のための認証情報を受け付けた場合、他方の画面で認証情報の受け付けを禁止するように構成してあることを特徴とする請求項３に記載の印刷装置。
【請求項９】
前記表示面に表示した画面の一方で親展印刷のための認証情報を受け付けた場合、他方の画面は、警告を表示するように構成してあることを特徴とする請求項１又は請求項２に記載の印刷装置。
【請求項１０】
前記表示面に表示した異なる画面それぞれに対して設定された優先順位を切り替える切替手段を備えることを特徴とする請求項３に記載の印刷装置。
【請求項１１】
前記表示面に表示した異なる画面で認証情報を受け付けて親展印刷された印刷物が、前記画面のいずれで認証情報を受け付けたかを特定する特定手段を備えることを特徴とする請求項１又は請求項２に記載の印刷装置。
【請求項１２】
前記特定手段は、
前記画面のいずれで認証情報を受け付けたかを特定する情報を印刷物の表紙頁に印刷するように構成してあることを特徴とする請求項１１に記載の印刷装置。
【請求項１３】
前記表示面に表示した異なる画面それぞれで受け付けた各認証情報を照合する照合手段を備え、
該照合手段で各認証情報が照合された場合、親展印刷を行うように構成してあることを特徴とする請求項１又は請求項２に記載の印刷装置。
【請求項１４】
前記表示面に表示した異なる画面それぞれで認証情報を受け付ける場合、入力された認証情報を決定するための決定キーを所定の時間間隔で移動させて画面上に表示するように構成してあることを特徴とする請求項１又は請求項２に記載の印刷装置。
【請求項１５】
前記時間間隔を変更する変更手段を備えることを特徴とする請求項１４に記載の印刷装置。
【請求項１６】
前記表示面に表示した画面の一方で親展印刷のための認証情報を受け付けた場合、親展印刷の印刷順位を両方の画面に表示するように構成してあることを特徴とする請求項１乃至請求項３のいずれか１つに記載の印刷装置。
【請求項１７】
親展印刷の印刷順位が表示された場合、所定の操作の受け付けを禁止するように構成してあることを特徴とする請求項１６に記載の印刷装置。
【請求項１８】
親展印刷の待ち時間を両方の画面に表示するように構成してあることを特徴とする請求項１６又は請求項１７に記載の印刷装置。
【発明の詳細な説明】
【技術分野】
【０００１】
本発明は、認証情報に基づいて親展印刷を行うことができる印刷装置に関する。
【背景技術】
【０００２】
プリンタ装置、又はプリンタ機能及びファクシミリ機能を有する複合機等の印刷装置は、ＬＡＮ等の通信ネットワークを通じて、画像処理装置（例えば、画像処理用プログラムコードが導入されたパーソナルコンピュータ）から送信された印刷データを受信する。印刷データには、画像情報及び印刷条件（例えば用紙サイズ）等が含まれている。印刷装置は、受信した印刷データに含まれる印刷条件及び画像情報に基づいて、用紙に画像を形成（印刷）して所定のトレイに排出する。
【０００３】
通信ネットワークを通じて多数のパーソナルコンピュータが印刷装置に接続されている場合、多くのパーソナルコンピュータで１台の印刷装置を共用しているため、各パーソナルコンピュータと印刷装置とが離隔配置されていることが多い。このため、パーソナルコンピュータでユーザが印刷ジョブを実行して印刷データを印刷装置へ送信し、ユーザが出力された印刷物を取りに行くまでの間に、印刷装置は、印刷物をトレイに出力してしまう。このため、ユーザが印刷物を取りに来るまでの間は、他人が容易に出力された印刷物を見ることができ、セキュリティ上問題があった。そこで、セキュリティ上の問題を解決するために、親展印刷機能を有する印刷装置が提案されている。
【０００４】
このような印刷装置では、例えば、ユーザＩＤ及びパスワードなどの認証情報の照合結果に基づいて印刷するか否かを判定する機能、あるいは、印刷データに含まれる親展印刷モードを示す情報の有無に基づいて印刷するか否かを判定する機能を備えている。親展印刷機能を有する印刷装置では、印刷データを受信した場合であっても、直ちに印刷処理を行わず、受信した印刷データに含まれている認証情報、又は予め印刷装置に登録してある認証情報と一致する認証情報が入力された場合に印刷を実行する。
【０００５】
このような印刷装置を使用する場合、例えば、ユーザは、パーソナルコンピュータから印刷データを印刷装置へ送信した後、印刷装置のところまで移動し、印刷装置の操作パネルから認証情報を入力する。印刷装置は、入力された認証情報と予め登録された認証情報とが一致するか否かを判定し、認証情報が照合された場合、受信した印刷データに基づいて印刷処理を行う。印刷物がトレイに出力される際には、ユーザが印刷装置の近くに居るため、他人による印刷物へのアクセスを防止することができる。このような印刷装置は、例えば、特許文献１に開示されている。
【特許文献１】特開２００２−１４９３６６号公報
【発明の開示】
【発明が解決しようとする課題】
【０００６】
しかしながら、従来の印刷装置又は特許文献１の印刷装置にあっては、親展印刷の処理途中でユーザが印刷装置から離れる必要が生じた場合に、ユーザが親展印刷を一時中断したときには、中断された親展印刷ジョブ以降に印刷ジョブキューに登録されている他の印刷ジョブが実行されず、他のユーザにとって利便性が著しく低下するという問題があった。また、親展印刷が一時中断された場合、他のユーザが一時中断状態を勝手に解除して親展印刷を再開させ、出力された印刷物にアクセスする恐れがあった。
【０００７】
また、ユーザＩＤ及びパスワードなどの認証情報を入力する場合、ユーザは、印刷装置に備えられた単一の操作画面上で操作するため、ユーザの近くにいる他人が簡単に認証情報を盗み見ることができ、認証情報が容易に漏洩して不正使用される恐れがあった。このため、親展印刷機能を備えた印刷装置のセキュリティ向上が望まれていた。
【０００８】
本発明は、斯かる事情に鑑みてなされたものであり、ユーザの利便性及びセキュリティを向上させることができる印刷装置を提供することを目的とする。
【課題を解決するための手段】
【０００９】
本発明に係る印刷装置は、所定の操作を受け付ける操作部を備え、該操作部で受け付けた認証情報に基づいて、親展印刷を行う印刷装置において、前記操作部は、異なる視点に対して異なる画面を表示する表示面を備え、該表示面に表示した異なる画面それぞれで認証情報を受け付け可能に構成してあることを特徴とする。
【００１０】
本発明に係る印刷装置は、操作を受け付けるための複数の操作キーを前記異なる画面それぞれで異なる位置に表示すべく制御する制御手段を備えることを特徴とする。
【００１１】
本発明に係る印刷装置は、前記表示面に表示した異なる画面に親展印刷の優先順位を設定する設定手段を備え、前記画面それぞれで認証情報を受け付けた場合、前記設定手段で設定した優先順位に基づいて、親展印刷を行うように構成してあることを特徴とする。
【００１２】
本発明に係る印刷装置は、前記表示面に表示した異なる画面それぞれは、受け付ける操作が異なる操作画面を表示可能に構成してあることを特徴とする。
【００１３】
本発明に係る印刷装置は、前記表示面に表示した画面の一方が親展印刷のための認証情報受付画面である場合、他方は認証情報受付画面以外の画面であることを特徴とする。
【００１４】
本発明に係る印刷装置は、前記表示面に表示した画面の一方が親展印刷のための認証情報受付画面である場合、該認証情報受付画面を他方の画面に移動するための移動キーを該認証情報受付画面に表示するように構成してあることを特徴とする。
【００１５】
本発明に係る印刷装置は、前記操作画面は、親展印刷のための認証情報受付画面に移行するための移行キーを表示するように構成してあり、前記表示面に表示した画面の一方で親展印刷のための認証情報を受け付けた場合に、他方に表示した操作画面で移行キーが操作されたとき、該操作画面は、認証情報受付画面に移行するように構成してあることを特徴とする。
【００１６】
本発明に係る印刷装置は、前記表示面に表示した画面の優先順位が高い方で親展印刷のための認証情報を受け付けた場合、他方の画面で認証情報の受け付けを禁止するように構成してあることを特徴とする。
【００１７】
本発明に係る印刷装置は、前記表示面に表示した画面の一方で親展印刷のための認証情報を受け付けた場合、他方の画面は、警告を表示するように構成してあることを特徴とする。
【００１８】
本発明に係る印刷装置は、前記表示面に表示した異なる画面それぞれに対して設定された優先順位を切り替える切替手段を備えることを特徴とする。
【００１９】
本発明に係る印刷装置は、前記表示面に表示した異なる画面で認証情報を受け付けて親展印刷された印刷物が、前記画面のいずれで認証情報を受け付けたかを特定する特定手段を備えることを特徴とする。
【００２０】
本発明に係る印刷装置は、前記特定手段は、前記画面のいずれで認証情報を受け付けたかを特定する情報を印刷物の表紙頁に印刷するように構成してあることを特徴とする。
【００２１】
本発明に係る印刷装置は、前記表示面に表示した異なる画面それぞれで受け付けた各認証情報を照合する照合手段を備え、該照合手段で各認証情報が照合された場合、親展印刷を行うように構成してあることを特徴とする。
【００２２】
本発明に係る印刷装置は、前記表示面に表示した異なる画面それぞれで認証情報を受け付ける場合、入力された認証情報を決定するための決定キーを所定の時間間隔で移動させて画面上に表示するように構成してあることを特徴とする。
【００２３】
本発明に係る印刷装置は、前記時間間隔を変更する変更手段を備えることを特徴とする。
【００２４】
本発明に係る印刷装置は、前記表示面に表示した画面の一方で親展印刷のための認証情報を受け付けた場合、親展印刷の印刷順位を両方の画面に表示するように構成してあることを特徴とする。
【００２５】
本発明に係る印刷装置は、親展印刷の印刷順位が表示された場合、所定の操作の受け付けを禁止するように構成してあることを特徴とする。
【００２６】
本発明に係る印刷装置は、親展印刷の待ち時間を両方の画面に表示するように構成してあることを特徴とする。
【００２７】
本発明にあっては、操作部は、異なる視点に対して異なる画面を表示する表示面を備えている。この表示面は、例えば、同一の表示画面に対する複数の視点にそれぞれ対応する複数の表示方向に互いに異なる複数の画像を同時に表示することができるデュアル・ビュー表示機能を備えるものである。さらにこの表示面は、タッチパネル機能を備えており、表示面に表示される各種操作キー、操作ボタン、アイコン等を操作することによりユーザからの入力を受け付けることができる。操作部は、表示面に表示した異なる画面それぞれで認証情報（例えば、ユーザＩＤ、パスワードなど）を受け付け可能に構成してある。例えば、ユーザが操作部の表示面に向かって右側から表示面を見た場合の右画面、及び左側から表示面を見た場合の左画面の両方の画面で、認証情報を受け付けることができるとともに、両方の画面を異なる態様で表示する。これにより、複数のユーザが同時に親展印刷のための認証情報入力が可能になり、他のユーザが操作部で操作中の場合でも、親展印刷を行うための操作を行うことができる。また、右画面と左画面とは異なって見えるため、同時に操作中でも他人に自分の認証情報が漏洩することを防止することができるため、ユーザの利便性及びセキュリティを向上させることができる。
【００２８】
本発明にあっては、制御手段は、操作を受け付けるための複数の操作キー（例えば、文字、記号又は数字を入力するためのテンキー、各種操作を受け付けるためのキーなど）を異なる画面それぞれで異なる位置に配置する。制御手段は、例えば、数字「１」、「２」、…「０」の各キーの位置を異なる画面それぞれにおける配置位置を異なるように制御する。これにより、ユーザが操作部の表示面に向かって右側から表示面を見た場合の右画面、及び左側から表示面を見た場合の左画面の両方の画面で、同時に操作した場合であっても、各ユーザの操作を確実に受け付けることができる。
【００２９】
本発明にあっては、表示面に表示した異なる画面に対して親展印刷の優先順位を設定することができ、前記画面それぞれで認証情報を受け付けた場合、設定した優先順位に基づいて、親展印刷を行う。例えば、右画面の優先順位を左画面の優先順位より高く設定した場合に、両方の画面から二人のユーザがほぼ同時に認証情報を入力したときには、右画面から入力された認証情報に対応する親展印刷を先に実行する。また、左画面から認証情報が入力されて、親展印刷処理待ちの状態である場合に、右画面から認証情報が入力されたときには、右画面から入力された認証情報に対応する親展印刷を先に実行する。これにより、操作部から複数のユーザが同時に親展印刷を行った場合に、優先順位の高い方の画面から認証情報を入力したユーザの親展印刷が先に実行されるので、印刷物の出力順序を容易に知ることができる。また、印刷物の出力を迅速に行う必要がある場合には、他のユーザよりも先に印刷物を出力することができる。
【００３０】
本発明にあっては、表示面に表示した異なる画面それぞれは、受け付ける操作が異なる操作画面を表示することができる。操作画面は、例えば、複写（コピー）を行う画面、スキャナで取り込んだ画像データを電子メールで配信する画面などである。これにより、異なる操作を単一の表示面で複数のユーザが同時に行うことができ、ユーザの利便性が向上する。また、一人のユーザが、両方の画面を使って同時に異なる操作を行うことができ、ユーザの利便性が向上する。さらに、１つの表示面を複数の小画面に分割して表示させることなく、複数のユーザが表示面全体を同時に使用することができ、画面の視認性を向上させることができる。
【００３１】
本発明にあっては、表示面に表示した画面の一方が親展印刷のための認証情報受付画面である場合、他方は認証情報受付画面以外の画面（例えば、複写操作の画面、電子メール配信操作の画面など）を表示する。これにより、親展印刷の操作中でも、複写などの他の操作を同時に同じ操作部で行うことができ、ユーザの利便性が向上する。
【００３２】
本発明にあっては、表示面に表示した画面の一方が親展印刷のための認証情報受付画面である場合、その認証情報受付画面を他方の画面に移動するための移動キーを認証情報受付画面に表示する。これにより、例えば、右画面の優先順位が左画面の優先順位より高く設定されている場合に、左画面で親展印刷の操作を行うユーザが、右画面で操作を行う他のユーザがいなくなったときに、自分の認証情報受付画面を優先順位の高い右画面に移動させることができ、より迅速に印刷物を出力させることができる。また、自分の近くに他人がいる場合に、その他人が覗き見しにくい方（例えば、表示面の右側又は左側）へ認証情報受付画面を移動させることができ、認証情報の漏洩を防止することができる。
【００３３】
本発明にあっては、操作画面（例えば、複写操作、電子メール配信操作など）は、親展印刷のための認証情報受付画面に移行するための移行キーを表示する。なお、移行キーには、移行操作のためのボタン表示、アイコン表示なども含まれる。表示面に表示した画面の一方で親展印刷のための認証情報を受け付けた場合に、他方に表示した操作画面で移行キーが操作されたとき、その操作画面は、認証情報受付画面に移行する。これにより、親展印刷の操作が一方の画面で行われている場合であっても、他方の画面で移行キーを押せば他方の画面でも親展印刷を同時に行うことができる。
【００３４】
本発明にあっては、表示面に表示した画面の優先順位が高い方で親展印刷のための認証情報を受け付けた場合、他方の画面で認証情報の受付けを禁止する。これにより、優先順位の高い方で親展印刷を行う場合は、その印刷物の重要度が高いと考えられるため、他方の画面で親展印刷操作を禁止して、優先順位の高い方の操作が妨げられないようにすることができる。また、他方の画面の操作を禁止することにより、他人が表示面の近くに寄って来ることを防止でき、重要な印刷物を出力するための認証情報が他人に覗き見されることを防止することができる。
【００３５】
本発明にあっては、表示面に表示した画面の一方で親展印刷のための認証情報を受け付けた場合、他方の画面は、警告（例えば、「親展印刷中につき近寄らないでください。」などの文字列）を表示する。これにより、親展印刷の認証情報が覗き見されるのを防ぐことができるとともに、重要な親展印刷の操作が妨げられるのを防ぐことができる。
【００３６】
本発明にあっては、表示面に表示した異なる画面それぞれに対して設定された優先順位を切り替えることができる。これにより、印刷装置の設置場所、あるいは、すでに操作中のユーザの操作場所に拘わらず、優先順位の高い親展印刷をどちらの画面からでも行うことができる。
【００３７】
本発明にあっては、表示面に表示した異なる画面で認証情報を受け付けて親展印刷された印刷物が、いずれの画面で認証情報を受け付けたかを特定する。これにより、同時に複数人が親展印刷をした場合であっても、自分の印刷物を他人の印刷物から容易に見分けることができる。
【００３８】
本発明にあっては、いずれの画面で認証情報を受け付けたかを特定する情報を印刷物の表紙頁に印刷する。これにより、同時に複数人が親展印刷をした場合であっても、表紙頁のみを見れば自分の印刷物を他人の印刷物から容易に見分けることができ、かつ、印刷物の本文が表紙頁で覆われているため、印刷物の内容を他人に見られることを防止することができる。
【００３９】
本発明にあっては、表示面に表示した異なる画面それぞれで受け付けた各認証情報が照合された場合に、親展印刷を行う。例えば、各画面から入力された認証情報を合成して１つの認証情報を生成し、生成した認証情報が予め登録されている認証情報と一致する場合に照合されたものとすることができる。これにより、親展印刷を行うためには、複数の異なる認証情報が同時に必要となり、セキュリティが向上する。
【００４０】
本発明にあっては、表示面に表示した異なる画面それぞれで認証情報を受け付ける場合、入力された認証情報を決定するための決定キーを所定の時間間隔で移動させて画面上に表示する。なお、決定キーには、決定操作のためのボタン表示、アイコン表示なども含まれる。これにより、各画面で入力した認証情報が正しいものとして決定キーを操作する場合に、例えば、決定キーが左画面上及び右画面上をランダムに移動するため、一方の画面を見ているユーザからは、他方の画面の決定キーの位置を判別することができず、親展印刷を行うには、複数のユーザによる決定操作が必要となり、セキュリティが向上する。
【００４１】
本発明にあっては、決定キーの移動時間間隔を変更することができる。これにより、親展印刷を行うユーザの身体能力に応じて決定キーの移動間隔を調整することが可能になり、ユーザの操作性が向上する。
【００４２】
本発明にあっては、表示面に表示した画面の一方で親展印刷のための認証情報を受け付けた場合、親展印刷の印刷順位を両方の画面に表示する。親展印刷を実行した場合、例えば、印刷ジョブキューを表示して親展印刷ジョブの印刷待ち状況を把握することができる。仮に、親展印刷ジョブの優先順位が親展印刷でない印刷ジョブの優先順位より高く設定されている場合、優先順位の高い方の画面から親展印刷を行うことで、印刷順序が変わったときでも、印刷順序を両方の画面に表示することができ、両画面（例えば、右画面及び左画面）でそれぞれ操作したユーザは、自分の印刷（親展印刷を含む）ジョブの進捗状況を簡単に把握することができる。
【００４３】
本発明にあっては、親展印刷の印刷順位が表示された場合、所定の操作の受付けを禁止する。例えば、親展印刷の印刷順位が表示された場合、複写又は電子メール配信などの操作画面を表示させなくすることで、ユーザは親展印刷処理が終了するまで待つしかなく、親展印刷処理の中断を防止することができる。
【００４４】
本発明にあっては、親展印刷の待ち時間を両方の画面に表示する。これにより、ユーザは、例えば、待ち時間が短い場合には、印刷物が出力されるまで装置の近くで待つことができ、また、待ち時間が長い場合には、印刷物が出力されるまでの間に他の仕事を行って、印刷物が出力される時刻に合わせて装置の付近に戻ってくることができ、ユーザの利便性が向上する。
【発明の効果】
【００４５】
本発明にあっては、複数のユーザが同時に親展印刷のための認証情報入力が可能になり、他のユーザが操作部で操作中の場合でも、親展印刷を行うための操作を行うことができる。また、右画面と左画面とは異なって見えるため、同時に操作中でも他人に自分の認証情報が漏洩することを防止することができるため、ユーザの利便性及びセキュリティを向上させることができる。
【００４６】
本発明にあっては、ユーザが、例えば、操作部の表示面に向かって右側から表示面を見た場合の右画面、及び左側から表示面を見た場合の左画面の両方の画面で、同時に操作した場合であっても、各ユーザの操作を確実に受け付けることができる。
【００４７】
本発明にあっては、操作部から複数のユーザが同時に親展印刷を行った場合に、優先順位の高い方の画面から認証情報を入力したユーザの親展印刷が先に実行され、印刷物の出力順序を容易に知ることができる。また、印刷物の出力を迅速に行う必要がある場合には、他のユーザよりも先に印刷物を出力することができる。
【００４８】
本発明にあっては、異なる操作を単一の表示面で複数のユーザが同時に行うことができ、ユーザの利便性が向上する。また、一人のユーザが、両方の画面を使って同時に異なる操作を行うことができ、ユーザの利便性が向上する。さらに、１つの表示面を複数の小画面に分割して表示させることなく、複数のユーザが表示面全体を同時に使用することができ、画面の視認性を向上させることができる。
【００４９】
本発明にあっては、親展印刷の操作中でも、複写などの他の操作を同時に同じ操作部で行うことができ、ユーザの利便性が向上する。
【００５０】
本発明にあっては、右画面の優先順位が左画面の優先順位より高く設定されている場合に、左画面で親展印刷の操作を行うユーザが、右画面で操作を行う他のユーザがいなくなったときに、自分の認証情報受付画面を優先順位の高い右画面に移動させることができ、より迅速に印刷物を出力させることができる。また、自分の近くに他人がいる場合に、その他人が覗き見しにくい方（例えば、表示面の右側又は左側）へ認証情報受付画面を移動させることができ、認証情報の漏洩を防止することができる。
【００５１】
本発明にあっては、親展印刷の操作が一方の画面で行われている場合であっても、他方の画面で移行キーを押せば他方の画面でも親展印刷を同時に行うことができる。
【００５２】
本発明にあっては、優先順位の高い方で親展印刷を行う場合は、その印刷物の重要度が高いと考えられるため、他方の画面で親展印刷操作を禁止して、優先順位の高い方の操作が妨げられないようにすることができる。また、他方の画面の操作を禁止することにより、他人が表示面の近くに寄って来ることを防止でき、重要な印刷物を出力するための認証情報が他人に覗き見されることを防止することができる。
【００５３】
本発明にあっては、親展印刷の認証情報が覗き見されるのを防ぐことができるとともに、重要な親展印刷の操作が妨げられるのを防ぐことができる。
【００５４】
本発明にあっては、印刷装置の設置場所、あるいは、すでに操作中のユーザの操作場所に拘わらず、優先順位の高い親展印刷をどちらの画面からでも行うことができる。
【００５５】
本発明にあっては、同時に複数人が親展印刷をした場合であっても、自分の印刷物を他人の印刷物から容易に見分けることができる。
【００５６】
本発明にあっては、同時に複数人が親展印刷をした場合であっても、表紙頁のみを見れば自分の印刷物を他人の印刷物から容易に見分けることができ、かつ、印刷物の本文が表紙頁で覆われているため、印刷物の内容を他人に見られることを防止することができる。
【００５７】
本発明にあっては、親展印刷を行うためには、複数の異なる認証情報が同時に必要となり、セキュリティが向上する。
【００５８】
本発明にあっては、各画面で入力した認証情報が正しいものとして決定キーを操作する場合に、例えば、決定キーが左画面上及び右画面上をランダムに移動するため、一方の画面を見ているユーザからは、他方の画面の決定キーの位置を判別することができず、親展印刷を行うには、複数のユーザによる決定操作が必要となり、セキュリティが向上する。
【００５９】
本発明にあっては、親展印刷を行うユーザの身体能力に応じて決定キーの移動間隔を調整することが可能になり、ユーザの操作性が向上する。
【００６０】
本発明にあっては、親展印刷ジョブの優先順位が親展印刷でない印刷ジョブの優先順位より高く設定されている場合、優先順位の高い方の画面から親展印刷を行うことで、印刷順序が変わったときでも、印刷順序を両方の画面に表示することができ、両画面（例えば、右画面及び左画面）でそれぞれ操作したユーザは、自分の印刷（親展印刷を含む）ジョブの進捗状況を簡単に把握することができる。
【００６１】
本発明にあっては、ユーザは親展印刷処理が終了するまで待つしかなく、親展印刷処理の中断を防止することができる。
【００６２】
本発明にあっては、ユーザは、例えば、待ち時間が短い場合には、印刷物が出力されるまで装置の近くで待つことができ、また、待ち時間が長い場合には、印刷物が出力されるまでの間に他の仕事を行って、印刷物が出力される時刻に合わせて装置の付近に戻ってくることができ、ユーザの利便性が向上する。
【発明を実施するための最良の形態】
【００６３】
以下、本発明に係る印刷装置を実施の形態を示す図面に基づいて説明する。図１は本発明に係る印刷装置１０の内部構成を示すブロック図である。本発明に係る印刷装置１０は、プリンタ装置のみならず、プリンタ機能を備えるスキャナ装置及びファクシミリ装置、並びにプリンタ機能及びファクシミリ機能などを備えるデジタル複合機などを含むものである。
【００６４】
図に示すように、印刷装置１０は、ネットワークインタフェース部１１、制御部１２、画像メモリ１３、記憶部１４、画像処理部１５、印字画像生成部１６、印字処理部１７、液晶表示コントローラ１８、ユーザインタフェース部１９などを備えている。また、印刷装置１０には、ＬＡＮ等の通信ネットワーク３０を通じて、パーソナルコンピュータ（以下、「ＰＣ」という。）４０、サーバ５０などが接続されるようになっており、ＰＣ４０、サーバ５０などからの印刷要求（印刷パラメータ、画像データ、親展印刷要求の有無を示す情報などを含む印刷ジョブ）が印刷装置１０へ送信されることにより、印刷装置１０は、所要の印刷物を所定のトレイ（不図示）に出力する。また、印刷装置１０は、記憶部１４に記憶した画像データに基づいて印刷物を出力することもできる。
【００６５】
ネットワークインタフェース部１１は、例えば、通信ネットワーク３０に接続されたＰＣ４０、サーバ５０等との間のインタフェース機能を備え、ＰＣ４０及びサーバ５０と印刷装置１０との間で印刷要求、印刷結果などの情報を送受信する。ネットワークインタフェース部１１は、画像データを含む印刷要求を受信した場合、受信した印刷要求を制御部１２へ出力する。
【００６６】
制御部１２は、ネットワークインタフェース部１１から入力された画像データを画像メモリ１３に一旦記憶する。制御部１２は、画像メモリ１３に記憶した画像データを原稿の１頁毎に画像処理部１５へ出力する。なお、複数頁分の画像データがある場合、制御部１２は、順次画像データを画像メモリ１３から読み出し、読み出した画像データを画像処理部１５へ出力する。
【００６７】
また、制御部１２は、複数のタイマを備え、取得した印刷要求に応じて所定の処理を行う。例えば、制御部１２は、取得した印刷要求が親展印刷ジョブであるか否かを判定し、親展印刷ジョブである場合、ユーザＩＤ及びパスワード等の認証情報の入力をユーザに促すべく、パスワード入力画面を液晶表示パネル１９１に表示する。制御部１２は、タッチパネル１９２から入力された認証情報が予め記憶部１４に記憶してあるユーザ毎の認証情報と一致するか否かを判定し、一致した場合には、認証情報が照合されたとして、親展印刷の処理を行う。なお、制御部１２の処理の詳細は後述する。
【００６８】
画像処理部１５は、入力された画像データに対して、ユーザが印刷要求を行う際に設定した印刷パラメータ等に基づいて、画像データのカラーバランスを整える処理、濃度変換処理、倍率変換処理などの編集処理などを行い、処理後の画像データを印字画像生成部１６へ出力する。
【００６９】
印字画像生成部１６は、入力された画像データ（ＲＧＢデータ）をＹＭＣＫデータに色空間変換するとともに、色補正処理、階調補正処理、又は印字処理部１７の特性に合わせた所定の階調の画像生成処理などを行い、処理後の画像データ（ＹＭＣＫデータ）を印字処理部１７へ出力する。
【００７０】
印字処理部１７は、入力された画像データに基づいて、用紙上に画像を形成し、画像が形成された用紙を排出する。印字処理部１７は、例えば、感光体ドラム、感光体ドラムを所定の電位に帯電させる帯電器、感光体ドラム表面に静電潜像を形成するレーザ書込装置、感光体ドラム表面の静電潜像にトナーを供給して顕像化する現像装置、感光体ドラム表面のトナー像を用紙に転写する転写装置などを備えている（いずれも不図示）。なお、印字処理部１７は、電子写真方式に限定されるものではなく、インクジェット方式、熱転写方式などいずれの方式のものでもよい。
【００７１】
ユーザインタフェース部１９は、デュアル・ビュー・ディスプレイ技術を用いた液晶表示パネル１９１、液晶表示パネル１９１の全面に設けられ、液晶表示パネル１９１の表示を阻害しない透明素材で構成された静電容量結合方式のタッチパネル１９２、タッチパネル１９２に流れる電流に基づいて、ユーザが指でタッチした位置を検出するタッチ位置検出部１９３などを備えている。タッチ位置検出部１９３は、検出したタッチ位置を制御部１２へ出力する。なお、タッチパネル１９２は、静電容量結合方式に限定されるものではなく、電磁誘導方式、電気抵抗方式、感圧方式等であってもよい。
【００７２】
デュアル・ビュー・ディスプレイ技術は、同一の液晶表示画面に対する複数の視点それぞれに対応する複数の表示方向に互いに異なる複数の画像を同時に表示することができる技術である。これは、例えば、液晶表示パネル１９１の全面にパララックスバリア（光学系分離素子）を配置する。パララックスバリアは、不透明領域によって隔たれた垂直な透光性スリットを複数有するスクリーンである。液晶表示パネル１９１の画素ｚ１を通過した光は、パララックスバリアの透光性スリットを介して、液晶表示パネル１９１の表示面に対して、例えば、右側に位置するユーザに視認される。また、液晶表示パネル１９１の画素ｚ１とは異なる画素ｚ２を透過した光は、パララックスバリアの透光性スリットを介して、液晶表示パネル１９１の表示面に対して、例えば、左側に位置するユーザに視認される。従って、液晶表示パネル１９１に表示された異なった画像は、パララックスバリアの複数の透光性スリットによって空間上の異なる方向からのみ視認することができ、表示面に対して異なる位置にいるユーザは、異なる画像を同時に見ることができる。
【００７３】
液晶表示コントローラ１８は、制御部１２の制御のもと、液晶表示パネル１９１で表示する各種操作画面の画像データ（例えば、液晶表示パネル１９１の表示面に対して右側から見た右画面の画像データ及び左側から見た左画面の画像データ）をデュアル・ビュー・ディスプレイ技術の画素配分に適した画素配分となるように処理し、処理後の画像データを液晶表示パネル１９１へ出力する。液晶表示コントローラ１８は、画像データに基づき、ゲートドライバ及びソースドライバ（不図示）を駆動させる。
【００７４】
制御部１２は、タッチ位置検出部１９３から入力されたタッチ位置及びその時点で液晶表示パネル１９１に表示された右画面及び左画面に関する情報に応じて、ユーザの操作を判別する。また、制御部１２は、判別結果に応じて、右画面及び左画面に表示する操作画面の画像データを液晶表示コントローラ１８へ出力する。これにより、液晶表示パネル１９１の右側に位置したユーザは、液晶表示パネル１９１に表示される右画面の表示内容を見て各種操作キー（操作のためのボタン表示、アイコン表示なども含む）の操作を行うことで、制御部１２は、操作内容を取得することができるとともに、操作内容に応じて操作画面の表示内容を所定の手順に従って変更することができる。また、液晶表示パネル１９１の左側に位置したユーザは、液晶表示パネル１９１に表示される左画面の表示内容を見て各種操作キー（操作のためのボタン表示、アイコン表示なども含む）の操作を行うことで、制御部１２は、操作内容を取得することができるとともに、操作内容に応じて操作画面の表示内容を所定の手順に従って変更することができる。この場合、液晶表示パネル１９１の右側に位置したユーザは、液晶表示パネル１９１に表示される左画面の表示内容を見ることができず、また、液晶表示パネル１９１の左側に位置したユーザは、液晶表示パネル１９１に表示される右画面の表示内容を見ることができないため、後述するように、ユーザの利便性及びセキュリティを向上させることができる。
【００７５】
次に本発明の印刷装置１０の動作について説明する。図２はパスワード入力画面の例を示す説明図である。パスワード入力画面は、親展印刷が行われる際にユーザにパスワード入力を促す親展印刷ログイン画面である。図２（ａ）は初期状態のパスワード入力画面であり、「別」ボタンの位置を除いて、左画面及び右画面で表示されるパスワード入力画面は同一である。図２（ａ）の左画面の「別」ボタンが押された場合、パスワード入力画面は、図２（ｂ）に示すように変化する。すなわち、右画面は変化せず、左画面は、テンキーの位置、パスワード表示ウィンドウの位置が右画面と異なる位置の画面となる。また、「戻」ボタンが、左画面と右画面とで異なる位置に表示される。
【００７６】
これにより、複数のユーザが同時に親展印刷のためのパスワード（認証情報）入力が可能になり、他のユーザが、例えば、左画面で操作中の場合でも、別のユーザが、親展印刷を行うための操作を右画面で行うことができる。また、右画面と左画面とは異なって見えるため、同時に操作中でも他人に自分のパスワード（認証情報）が漏洩することを防止することができるため、ユーザの利便性及びセキュリティを向上させることができる。
【００７７】
図２（ｂ）の右画面の「戻」ボタンが押された場合、パスワード入力画面は、図２（ｃ）に示すように変化する。すなわち、左画面は変化せず、右画面が「別」ボタンの表示位置を除いて、左画面と同じ画面に変化する。なお、パスワード入力画面は、パスワードの入力箇所のみ表示されているが、これに限定されるものではなく、ユーザＩＤ及びパスワードの入力箇所を表示するようにしてもよい。
【００７８】
図３はパスワード入力画面の表示処理手順を示すフローチャートである。図３のフローチャートは、図２で示した例を説明するものである。制御部１２は、親展印刷ジョブの有無を判定し（Ｓ１１）、親展印刷ジョブがない場合（Ｓ１１でＮＯ）、ステップＳ１１の処理を続け、親展印刷ジョブを取得するまで待機する。
【００７９】
親展印刷ジョブがある場合（Ｓ１１でＹＥＳ）、制御部１２は、左右同一のパスワード入力画面を表示する（Ｓ１２）。なお、この場合、左画面と右画面とでは、別ボタンの表示位置は異なる。制御部１２は、別ボタンの操作の有無を判定し（Ｓ１３）、操作があった場合（Ｓ１３でＹＥＳ）、操作された別ボタンが右画面のものであるか否かを判定する（Ｓ１４）。
【００８０】
右画面の別ボタンである場合（Ｓ１４でＹＥＳ）、制御部１２は、右画面を左画面と異なる画面（パスワード入力画面）に変更し（Ｓ１５）、戻ボタンの操作の有無を判定する（Ｓ１７）。右画面の別ボタンでない場合（Ｓ１４でＮＯ）、すなわち、左画面の別ボタンである場合、制御部１２は、左画面を右画面と異なる画面（パスワード入力画面）に変更し（Ｓ１６）、ステップＳ１７以降の処理を続ける。また、別ボタンの操作がない場合（Ｓ１３でＮＯ）、制御部１２は、ステップＳ１７以降の処理を続ける。
【００８１】
戻ボタンの操作があった場合（Ｓ１７でＹＥＳ）、制御部１２は、操作された戻ボタンが右画面のものであるか否かを判定する（Ｓ１８）。右画面の戻ボタンである場合（Ｓ１８でＹＥＳ）、制御部１２は、右画面を左画面と同じ画面（パスワード入力画面）に変更し（Ｓ１９）、処理を終了する。また、右画面の戻ボタンでない場合（Ｓ１８でＮＯ）、すなわち、左画面の戻ボタンである場合、制御部１２は、左画面を右画面と同じ画面（パスワード入力画面）に変更し（Ｓ２０）、処理を終了する。
【００８２】
図４はパスワード入力画面の優先順位の設定例を示す説明図である。図４に示すように、左画面と右画面とで、パスワード入力画面は異なる。優先順位は、左画面又は右画面のいずれかに高い優先順位を設定することができるとともに、設定した優先順位を左右画面で入れ替えることもできる。優先順位の高い方のパスワード入力画面で親展印刷のログインをした場合、その印刷ジョブの印刷順序を早くすることができる。
【００８３】
図５は優先順位に基づく印刷順序の変更処理手順を示すフローチャートである。制御部１２は、優先順位の低いパスワード入力画面（例えば、左画面）で入力されたパスワードを取得し（Ｓ３１）、親展印刷ジョブＩＤ１を割り当てる（Ｓ３２）。制御部１２は、親展印刷ジョブキューにジョブＩＤ１を印刷順序１番目として登録する（Ｓ３３）。
【００８４】
制御部１２は、優先順位の高いパスワード入力画面（例えば、右画面）で入力されたパスワードを取得し（Ｓ３４）、親展印刷ジョブＩＤ２を割り当てる（Ｓ３５）。制御部１２は、ジョブＩＤ１が印刷中であるか否かを判定し（Ｓ３６）、印刷中でない場合（Ｓ３６でＮＯ）、親展印刷ジョブキューにジョブＩＤ２を印刷順序１番目として登録し、ジョブＩＤ１を印刷順序２番目に変更し（Ｓ３７）、処理を終了する。
【００８５】
ジョブＩＤ１が印刷中である場合（Ｓ３６でＹＥＳ）、制御部１２は、親展印刷ジョブキューにジョブＩＤ２を印刷順序２番目として登録し（Ｓ３８）、処理を終了する。
【００８６】
これにより、液晶表示パネル１９１の左右両画面から複数のユーザがほぼ同時に親展印刷を行った場合に、優先順位の高い方の画面からパスワードを入力したユーザの親展印刷が先に実行されるので、印刷物の出力順序を容易に知ることができる。また、印刷物の出力を迅速に行う必要がある場合には、他のユーザよりも先に印刷物を出力することができる。
【００８７】
図６は操作画面の例を示す説明図である。操作画面は、パスワード入力画面以外の操作用の画面であって、印刷装置１０に備えられた各種機能を実行する場合、印刷条件の設定を実行する場合など、ユーザが印刷装置１０を使用する際に行う各種の操作を実行する画面である。例えば、図６に示すように、左画面では、コピー（複写）を行う際の操作画面を表示し、同時に右画面では、スキャンした画像データを電子メールで配信する際の操作画面を表示している。
【００８８】
図７は操作画面から入力された操作に基づく処理手順を示すフローチャートである。制御部１２は、入力操作の有無を判定し（Ｓ４１）、入力操作がない場合（Ｓ４１でＮＯ）、入力操作があるまで待機する。
【００８９】
入力操作があった場合（Ｓ４１でＹＥＳ）、制御部１２は、右画面からの入力であるか否かを判定する（Ｓ４２）。右画面からの入力である場合（Ｓ４２でＹＥＳ）、制御部１２は、右画面の操作（右画面で入力された操作）に対応した処理を行い（Ｓ４３）、次の入力操作の有無を判定する（Ｓ４５）。
【００９０】
右画面からの入力でない場合（Ｓ４２でＮＯ）、すなわち、左画面からの入力である場合、制御部１２は、左画面の操作（左画面で入力された操作）に対応した処理を行い（Ｓ４４）、ステップＳ４５以降の処理を続ける。次の入力操作がある場合（Ｓ４５でＹＥＳ）、制御部１２は、ステップＳ４２以降の処理を続け、次の入力操作がない場合（Ｓ４５でＮＯ）、処理を終了する。
【００９１】
これにより、異なる操作を１つの液晶表示パネル１９１で複数のユーザが同時に行うことができ、ユーザの利便性が向上する。また、一人のユーザが、左右両方の画面を使って同時に異なる操作を行うことができ、ユーザの利便性が向上する。さらに、１つの表示画面を複数の小画面に分割して表示させることなく、複数のユーザが表示画面全体を同時に使用することができ、画面の視認性を向上させることができる。
【００９２】
図８は左右両画面にパスワード入力画面と操作画面とを表示した例を示す説明図である。図８に示すように、右画面にパスワード入力画面を表示し、左画面にパスワード入力画面以外の画面、例えば、コピー（複写）の操作画面を表示する。
【００９３】
これにより、一方の画面で親展印刷の操作中でも、他の画面で複写などの操作を同時に行うことができ、ユーザの利便性が向上する。
【００９４】
図９はパスワード入力画面の移動の例を示す説明図である。図９（ａ）に示すように、右画面にパスワード入力画面を表示し、左画面にコピー（複写）の操作画面を表示する。また、両方の画面には、「移動」ボタンが表示されている。図９（ａ）において、右画面あるいは左画面に表示した「移動」ボタンを操作することにより、図９（ｂ）に示すように、左画面が右画面に移動し、右画面が左画面に移動し、左右画面を入れ替える。なお、右画面でパスワードを途中まで入力した後に「移動」ボタンを操作して、パスワード入力画面を左画面に移動した場合、右画面で途中まで入力されたパスワードは有効に保存され、ユーザは、左画面で残りのパスワードを入力するだけでよい。
【００９５】
図１０は左右画面の入れ替え処理手順を示すフローチャートである。制御部１２は、一方の画面のみがパスワード入力画面であるか否かを判定し（Ｓ５１）、一方の画面のみがパスワード入力画面でない場合（Ｓ５１でＮＯ）、ステップＳ５１の処理を続け、一方の画面のみがパスワード入力画面になるまで待機する。
【００９６】
一方の画面のみがパスワード入力画面である場合（Ｓ５１でＹＥＳ）、制御部１２は、左右いずれかの画面で移動ボタンの操作の有無を判定し（Ｓ５２）、移動ボタンの操作がない場合（Ｓ５２でＮＯ）、ステップＳ５２の処理を続け、移動ボタンの操作があるまで待機する。移動ボタンの操作がある場合（Ｓ５２でＹＥＳ）、制御部１２は、左右の画面を入れ替えて表示し（Ｓ５３）、処理を終了する。
【００９７】
これにより、例えば、右画面の優先順位が左画面の優先順位より高く設定されている場合に、左画面で親展印刷の操作を行うユーザが、右画面で操作を行う他のユーザがいなくなったときに、自分のパスワード入力画面を優先順位の高い右画面に移動させることができ、より迅速に印刷物を出力させることができる。また、自分の近くに他人がいる場合に、その他人が覗き見しにくい方（例えば、液晶表示パネル１９１の右側又は左側）へパスワード入力画面を移動させることができ、パスワードの漏洩を防止することができる。
【００９８】
図１１はパスワード入力画面への移行例を示す説明図である。図１１に示すように、左画面は、例えば、コピー（複写）の操作画面を表示する。また、右画面は、パスワード入力画面を表示する。操作画面は、親展印刷のためのパスワード入力画面に移行するための「親展」ボタンを表示する。右画面で親展印刷のためのパスワードを受け付けた場合に、左画面に表示した操作画面で「親展」ボタンが操作されたとき、その操作画面は、パスワード入力画面に移行する。
【００９９】
図１２はパスワード入力画面への移行処理手順を示すフローチャートである。制御部１２は、一方の画面のみがパスワード入力画面であるか否かを判定し（Ｓ６１）、一方の画面のみがパスワード入力画面でない場合（Ｓ６１でＮＯ）、ステップＳ６１の処理を続け、一方の画面のみがパスワード入力画面になるまで待機する。
【０１００】
一方の画面のみがパスワード入力画面である場合（Ｓ６１でＹＥＳ）、制御部１２は、パスワード入力画面でパスワードの入力中であるか否かを判定し（Ｓ６２）、パスワードの入力中でない場合（Ｓ６２でＮＯ）、パスワードが入力されるまで待機する。
【０１０１】
パスワードの入力中である場合（Ｓ６２でＹＥＳ）、制御部１２は、他方の画面で親展ボタンの操作の有無を判定し（Ｓ６３）、親展ボタンの操作があった場合（Ｓ６３でＹＥＳ）、他方の画面をパスワード入力画面に変更し（Ｓ６４）、処理を終了する。他方の画面で親展ボタンの操作がない場合（Ｓ６３でＮＯ）、制御部１２は、処理を終了する。
【０１０２】
これにより、親展印刷の操作が一方の画面で行われている場合であっても、他方の画面で親展ボタンを押せば他方の画面でも親展印刷を同時に行うことができる。
【０１０３】
図１３は優先順位の高い方の画面でパスワード入力中に他方の画面での操作を禁止する例を示す説明図である。図に示すように、右画面の優先順位が左画面の優先順位より高い場合において、右画面がパスワード入力画面であるときに、パスワード入力中であれば、左画面には、例えば、「現在操作できません」というメッセージを表示して左画面での操作を禁止する。
【０１０４】
図１４は優先順位の高い方の画面でパスワード入力中に他方の画面での操作を禁止する処理手順を示すフローチャートである。制御部１２は、一方の画面のみがパスワード入力画面であるか否かを判定し（Ｓ７１）、一方の画面のみがパスワード入力画面でない場合（Ｓ７１でＮＯ）、ステップＳ７１の処理を続け、一方の画面のみがパスワード入力画面になるまで待機する。
【０１０５】
一方の画面のみがパスワード入力画面である場合（Ｓ７１でＹＥＳ）、制御部１２は、パスワード入力画面でパスワードの入力中であるか否かを判定し（Ｓ７２）、パスワードの入力中でない場合（Ｓ７２でＮＯ）、ステップＳ７２の処理を続け、パスワードが入力されるまで待機する。
【０１０６】
パスワードの入力中である場合（Ｓ７２でＹＥＳ）、制御部１２は、パスワード入力中の画面は優先順位が高いか否かを判定し（Ｓ７３）、優先順位が高い場合（Ｓ７３でＹＥＳ）、他方の画面での操作を禁止し（Ｓ７４）、処理を終了する。パスワード入力中の画面の優先順位が高くない場合（Ｓ７３でＮＯ）、制御部１２は、処理を終了する。
【０１０７】
これにより、優先順位の高い方で親展印刷を行う場合は、その印刷物の重要度が高いと考えられるため、他方の画面で親展印刷操作を禁止して、優先順位の高い方の操作が妨げられないようにすることができる。また、優先順位の低い他方の画面の操作を禁止することにより、他人が液晶表示パネル１９１の近くに寄って来ることを防止でき、重要な印刷物を出力するためのパスワードが他人に覗き見されることを防止することができる。
【０１０８】
図１５は一方の画面でパスワード入力中に他方の画面に警告を表示する例を示す説明図である。図に示すように、左画面がパスワード入力画面である場合に、パスワード入力中であるときは、右画面には、例えば、「親展印刷中につき、近寄らないでください」というメッセージを表示する。なお、メッセージは一例であって、これに限定されるものではない。
【０１０９】
図１６は一方の画面でパスワード入力中に他方の画面に警告を表示する処理手順を示すフローチャートである。制御部１２は、一方の画面のみがパスワード入力画面であるか否かを判定し（Ｓ８１）、一方の画面のみがパスワード入力画面でない場合（Ｓ８１でＮＯ）、ステップＳ８１の処理を続け、一方の画面のみがパスワード入力画面になるまで待機する。
【０１１０】
一方の画面のみがパスワード入力画面である場合（Ｓ８１でＹＥＳ）、制御部１２は、パスワード入力画面でパスワードの入力中であるか否かを判定し（Ｓ８２）、パスワードの入力中でない場合（Ｓ８２でＮＯ）、ステップＳ８２の処理を続け、パスワードが入力されるまで待機する。
【０１１１】
パスワードの入力中である場合（Ｓ８２でＹＥＳ）、制御部１２は、他方の画面に警告を表示し（Ｓ８３）、親展印刷が完了したか否かを判定する（Ｓ８４）。親展印刷が完了していない場合（Ｓ８４でＮＯ）、制御部１２は、ステップＳ８４の処理を続け、親展印刷が完了するまで待機する。親展印刷が完了した場合（Ｓ８４でＹＥＳ）、制御部１２は、警告表示を消去し（Ｓ８５）、処理を終了する。
【０１１２】
これにより、親展印刷を行う際に使用するパスワードが覗き見されるのを防ぐことができるとともに、重要な親展印刷の操作が妨げられるのを防ぐことができる。
【０１１３】
図１７は優先順位の切り替え例を示す説明図である。図１７に示すように、右画面は、例えば、コピー（複写）の操作画面を表示しているとする。また、左画面は、右画面より優先順位が高く、親展印刷のためのパスワード入力画面を表示しているとする。左画面のパスワード入力画面に表示した「右画面で入力」という操作ボタンを操作した場合、左画面に表示されていたパスワード入力画面は右画面に移動し、右画面に表示されていたコピー操作画面は左画面に移動する。これにより、印刷装置の設置場所、あるいは、すでに操作中のユーザの操作場所に拘わらず、優先順位の高い親展印刷をどちらの画面からでも行うことができる。
【０１１４】
図１８は二重認証の例を示す説明図である。図１８に示すように、左右の両画面にパスワード入力画面を表示する。この場合、テンキーの位置、パスワード表示ウィンドウの位置は、両画面で異なる。左画面でユーザがパスワードを入力し、右画面で別のユーザが別のパスワードを入力し、両者が入力したパスワードを合成して生成されたパスワードが照合された場合（予め記憶したパスワードと一致する場合）に、親展印刷が行われる。
【０１１５】
図１９は二重認証の処理手順を示すフローチャートである。制御部１２は、二重認証の設定の有無を判定し（Ｓ９１）、二重認証の設定がない場合（Ｓ９１でＮＯ）、ステップＳ９１の処理を続け、二重認証の設定がされるまで待機する。なお、二重認証の設定は、ユーザにより行うことができる。
【０１１６】
二重認証の設定がある場合（Ｓ９１でＹＥＳ）、制御部１２は、左右の両画面にパスワード入力画面を表示し（Ｓ９２）、右画面からのパスワードの入力の有無を判定する（Ｓ９３）。右画面からパスワードの入力がない場合（Ｓ９３でＮＯ）、制御部１２は、ステップＳ９３の処理を続け、パスワードの入力があるまで待機する。パスワードの入力があった場合（Ｓ９３でＹＥＳ）、制御部１２は、入力されたパスワードを右パスワードとして取得する（Ｓ９４）。
【０１１７】
制御部１２は、左画面からのパスワードの入力の有無を判定する（Ｓ９５）。左画面からパスワードの入力がない場合（Ｓ９５でＮＯ）、制御部１２は、ステップＳ９５の処理を続け、パスワードの入力があるまで待機する。パスワードの入力があった場合（Ｓ９５でＹＥＳ）、制御部１２は、入力されたパスワードを左パスワードとして取得する（Ｓ９６）。なお、パスワードの入力の有無の判定は、並行して行うようにすることができる。
【０１１８】
制御部１２は、右パスワードと左パスワードとを所定の演算に基づいて合成して新たな文字列（パスワード）を生成し（Ｓ９７）、生成した文字列が予め記憶してある文字列に一致するか否かを判定する（Ｓ９８）。文字列が一致する場合（Ｓ９８でＹＥＳ）、制御部１２は、親展印刷を実行し（Ｓ９９）、処理を終了する。文字列が一致しない場合（Ｓ９８でＮＯ）、制御部１２は、パスワードが正しくない旨の警告を表示し（Ｓ１００）、処理を終了する。
【０１１９】
これにより、親展印刷を行うためには、複数の異なるパスワードが同時に必要となり、セキュリティが向上する。
【０１２０】
図２０は入力したパスワードを決定する場合の画面の例を示す説明図である。左右の両画面にパスワード入力画面を表示する。この場合、テンキーの位置、パスワード表示ウィンドウの位置は、両画面で異なる。左画面でユーザがパスワードを入力し、右画面で別のユーザが別のパスワードを入力し、それぞれの画面で「ＯＫ」ボタンを操作した場合、左右の両画面は入力されたパスワードの決定画面に移行する。
【０１２１】
左右の両画面に表示した決定画面では、入力されたパスワードを決定（確定）するための「ＯＫ」ボタンが所定の時間間隔でランダムな位置に移動して表示される。
【０１２２】
図２１及び図２２は決定画面の表示処理手順を示すフローチャートである。制御部１２は、パスワード入力画面でパスワードが入力され、パスワードの決定画面に移行するか否かを判定し（Ｓ１１１）、決定画面に移行しない場合（Ｓ１１１でＮＯ）、ステップＳ１１１の処理を続け、決定画面に移行するまで待機する。
【０１２３】
パスワードの決定画面に移行する場合（Ｓ１１１でＹＥＳ）、制御部１２は、ＯＫボタンの表示位置を決定し（Ｓ１１２）、左右の両画面でＯＫボタンの位置が同じ位置であるか否かを判定する（Ｓ１１３）。ＯＫボタンが同じ位置である場合（Ｓ１１３でＹＥＳ）、制御部１２は、ステップＳ１１２以降の処理を続ける。これにより、ＯＫボタンの位置はランダムに求められるが、左右の決定画面でＯＫボタンの位置が一致することを避ける。
【０１２４】
ＯＫボタンが同じ位置でない場合（Ｓ１１３でＮＯ）、制御部１２は、左右の決定画面上にＯＫボタンを表示し（Ｓ１１４）、表示タイマをセットする（Ｓ１１５）。制御部１２は、左画面（決定画面）のＯＫボタンの操作の有無を判定し（Ｓ１１６）、ＯＫボタンの操作がない場合（Ｓ１１６でＮＯ）、右画面（決定画面）のＯＫボタンの操作の有無を判定する（Ｓ１１７）。
【０１２５】
右画面のＯＫボタンの操作があった場合（Ｓ１１７でＹＥＳ）、制御部１２は、入力タイマをセットし（Ｓ１１８）、左画面（決定画面）のＯＫボタンの操作の有無を判定する（Ｓ１１９）。ＯＫボタンの操作がない場合（Ｓ１１９でＮＯ）、制御部１２は、ステップＳ１１９の処理を続け、左画面のＯＫボタンが操作されるまで待機する。
【０１２６】
左画面のＯＫボタンの操作があった場合（Ｓ１１９でＹＥＳ）、制御部１２は、入力タイマが規定値以内であるか否かを判定し（Ｓ１２０）、規定値以内でなければ（Ｓ１２０でＮＯ）、ステップＳ１１２以降の処理を続ける。ステップＳ１１６で、左画面のＯＫボタンの操作があった場合（Ｓ１１６でＹＥＳ）、制御部１２は、入力タイマをセットし（Ｓ１２１）、右画面（決定画面）のＯＫボタンの操作の有無を判定する（Ｓ１２２）。
【０１２７】
右画面のＯＫボタンの操作がない場合（Ｓ１２２でＮＯ）、制御部１２は、ステップＳ１２２の処理を続け、右画面のＯＫボタンが操作されるまで待機する。右画面のＯＫボタンの操作があった場合（Ｓ１２２でＹＥＳ）、制御部１２は、ステップＳ１２０以降の処理を続ける。
【０１２８】
ステップＳ１１７で、右画面のＯＫボタンの操作がない場合（Ｓ１１７でＮＯ）、制御部１２は、表示タイマが規定値以上であるか否かを判定し（Ｓ１２３）、規定値以上である場合（Ｓ１２３でＹＥＳ）、ステップＳ１１２以降の処理を続け、規定値以上でない場合（Ｓ１２３でＮＯ）、ステップＳ１１６以降の処理を続ける。
【０１２９】
ステップＳ１２０で、入力タイマが規定値以内である場合（Ｓ１２０でＹＥＳ）、制御部１２は、入力されたパスワードが予め記憶されたパスワードに一致するか否か判定し（Ｓ１２４）、パスワードが一致する場合（Ｓ１２４でＹＥＳ）、パスワードが照合されたとして、親展印刷を実行し（Ｓ１２５）、処理を終了する。一方、パスワードが一致しない場合（Ｓ１２４でＮＯ）、パスワードが正しくない旨の警告を表示し（Ｓ１２６）、処理を終了する。
【０１３０】
これにより、左右の決定画面で入力されたパスワードを決定する場合に、例えば、ＯＫボタンが左画面上及び右画面上をランダムに移動するため、一方の決定画面を見ているユーザからは、他方の決定画面のＯＫボタンの位置を判別することができず、親展印刷を行うには、複数のユーザによる決定操作が必要となり、セキュリティが向上する。
【０１３１】
図２３は決定画面上のＯＫボタンの移動の時間間隔を設定する画面の例を示す説明図である。ＯＫボタンが移動する時間間隔は、例えば、１秒単位で１秒〜５秒程度の範囲内で調整することができる。これにより、親展印刷を行うユーザの身体能力に応じてＯＫボタンの移動時間間隔を調整することが可能になり、ユーザの操作性が向上する。
【０１３２】
図２４は親展印刷の印刷順序の表示例を示す説明図である。図２４に示すように、左画面にパスワード入力画面を表示し、右画面にコピー（複写）の操作画面を表示するとする。左画面からパスワードが入力され、親展印刷が受け付けられた場合、親展印刷ジョブの優先順位と印刷ジョブキューで印刷待ちの他の印刷ジョブの優先順位とを比較して、親展印刷の印刷順序及び待ち時間を決定し、決定された印刷順序及び待ち時間を示す印刷ジョブキューを両方の画面で表示する。また、親展印刷ジョブを点滅表示するとともに、例えば、「しばらくお待ちください」等のメッセージを表示する。
【０１３３】
図２５は親展印刷の印刷順序の表示処理手順を示すフローチャートである。制御部１２は、入力されたパスワードを決定するためのＯＫボタンの操作の有無を判定し（Ｓ１３１）、ＯＫボタンの操作がない場合（Ｓ１３１でＮＯ）、ステップＳ１３１の処理を続け、ＯＫボタンが操作されるまで待機する。
【０１３４】
ＯＫボタンの操作があった場合（Ｓ１３１でＹＥＳ）、制御部１２は、入力されたパスワードを取得し（Ｓ１３２）、親展印刷ジョブＩＤを割り当てる（Ｓ１３３）。制御部１２は、印刷ジョブキューに印刷待ちの印刷ジョブの有無を判定し（Ｓ１３４）、印刷待ちの印刷ジョブがある場合（Ｓ１３４でＹＥＳ）、親展印刷ジョブと印刷待ちの他の印刷ジョブとの優先順位に基づいて、親展印刷ジョブの印刷順序を決定する（Ｓ１３５）。
【０１３５】
制御部１２は、両画面に親展印刷ジョブの印刷順序を示した印刷ジョブキューを表示し（Ｓ１３６）、親展印刷ジョブを点滅表示し（Ｓ１３７）、親展印刷ジョブの印刷完了までの待ち時間を表示する（Ｓ１３８）。制御部１２は、親展印刷が完了したか否かを判定し（Ｓ１３９）、親展印刷が完了していない場合（Ｓ１３９でＮＯ）、ステップＳ１３９の処理を続け、親展印刷が完了するまで待機する。
【０１３６】
親展印刷が完了した場合（Ｓ１３９でＹＥＳ）、制御部１２は、印刷ジョブキューの表示を消去して元の画面を表示し（Ｓ１４０）、処理を終了する。一方、ステップＳ１３４で、印刷待ちの印刷ジョブがない場合（Ｓ１３４でＮＯ）、制御部１２は、処理を終了する。
【０１３７】
これにより、親展印刷ジョブの優先順位が親展印刷でない印刷ジョブの優先順位より高く設定されている場合、優先順位の高い方の画面から親展印刷を行うことで、印刷順序が変わったときでも、印刷順序を両方の画面に表示することができ、両画面（例えば、右画面及び左画面）でそれぞれ操作したユーザは、自分の印刷（親展印刷を含む）ジョブの進捗状況を簡単に把握することができる。また、ユーザは、例えば、待ち時間が短い場合には、印刷物が出力されるまで装置の近くで待つことができ、また、待ち時間が長い場合には、印刷物が出力されるまでの間の他の仕事を行って、印刷物が出力される時刻に合わせて装置の付近に戻ってくることができ、ユーザの利便性が向上する。
【０１３８】
図２６は左右両画面で親展印刷を行った場合に印刷物を区別する方法の一例を示す説明図である。図２６に示すように、左画面から親展印刷を行って出力された印刷物の表紙頁に、例えば、「左側の操作者の親展印刷出力です」の文字を印刷し、右画面から親展印刷を行って出力された印刷物の表紙頁に、「右側の操作者の親展印刷出力です」の文字を印刷する。
【０１３９】
図２７は親展印刷時の印刷手順を示すフローチャートである。制御部１２は、親展印刷の有無を判定し（Ｓ１５１）、親展印刷がない場合（Ｓ１５１でＮＯ）、ステップＳ１５１の処理を続け、親展印刷があるまで待機する。
【０１４０】
親展印刷がある場合（Ｓ１５１でＹＥＳ）、制御部１２は、右画面からの親展印刷であるか否かを判定し（Ｓ１５２）、右画面からの親展印刷である場合（Ｓ１５２でＹＥＳ）、右側用カバー頁（表紙頁）を印刷し（Ｓ１５３）、本文の印刷を行い（Ｓ１５５）、処理を終了する。
【０１４１】
右画面からの親展印刷でない場合（Ｓ１５２でＮＯ）、すなわち、左画面からの親展印刷である場合、制御部１２は、左側用カバー頁（表紙頁）を印刷し（Ｓ１５４）、ステップＳ１５５以降の処理を続ける。
【０１４２】
これにより、同時に複数人が親展印刷をした場合であっても、表紙頁のみを見れば自分の印刷物を他人の印刷物から容易に見分けることができ、かつ、印刷物の本文が表紙頁で覆われているため、印刷物の内容を他人に見られることを防止することができる。
【０１４３】
なお、表紙頁に印刷される文言は、一例であって、これに限定されるものではなく、左画面あるいは右画面いずれのユーザによる印刷物であるかが判別することができるものであれば、図柄、記号、マーク、画像等でもよい。
【０１４４】
図２８は左右両画面で親展印刷を行った場合に印刷物を区別する方法の他の例を示す説明図である。左画面で親展印刷を行う際、予め記憶した画像Ａ１、Ａ２、…を左画面にアイコン表示、又はサブネイル表示し、ユーザに選択させ（例えば、画像Ａ４を選択）、選択された画像Ａ４を親展印刷の表紙頁に印刷する。同様に、右画面で親展印刷を行う際、予め記憶した画像Ｂ１、Ｂ２、…を右画面にアイコン表示、又はサブネイル表示し、ユーザに選択させ（例えば、画像Ｂ２を選択）、選択された画像Ｂ２を親展印刷の表紙頁に印刷する。画像Ａ１、Ａ２、…と、画像Ｂ１、Ｂ２、…を異なる画像にしておくことにより、印刷物の区別をすることができる。
【０１４５】
また、予め記憶した様々な種類の画像を表示させ、各ユーザが好みの画像を選択させるとともに、選択した画像にユーザの好みの文字、記号、マークなどを追加編集し、ユーザ毎に登録しておき、親展印刷を行ったユーザ毎に、登録した編集画像を表紙頁に印刷することもできる。
【０１４６】
上述の実施の形態において、液晶表示パネルに表示される画面は一例であって、実施の形態において説明した内容に限定されるものではない。
【０１４７】
上述の実施の形態において、制御部は専用のハードウェア回路で構成することもでき、あるいは、ＲＡＭ、ＲＯＭなどを備えたマイクロプロセッサに、所定の処理手順を定めたプログラムコードをロードしてマイクロプロセッサでプログラムコードを実行させる構成とすることもできる。
【図面の簡単な説明】
【０１４８】
【図１】本発明に係る印刷装置の内部構成を示すブロック図である。
【図２】パスワード入力画面の例を示す説明図である。
【図３】パスワード入力画面の表示処理手順を示すフローチャートである。
【図４】パスワード入力画面の優先順位の設定例を示す説明図である。
【図５】優先順位に基づく印刷順序の変更処理手順を示すフローチャートである。
【図６】操作画面の例を示す説明図である。
【図７】操作画面から入力された操作に基づく処理手順を示すフローチャートである。
【図８】左右両画面にパスワード入力画面と操作画面とを表示した例を示す説明図である。
【図９】パスワード入力画面の移動の例を示す説明図である。
【図１０】左右画面の入れ替え処理手順を示すフローチャートである。
【図１１】パスワード入力画面への移行例を示す説明図である。
【図１２】パスワード入力画面への移行処理手順を示すフローチャートである。
【図１３】優先順位の高い方の画面でパスワード入力中に他方の画面での操作を禁止する例を示す説明図である。
【図１４】優先順位の高い方の画面でパスワード入力中に他方の画面での操作を禁止する処理手順を示すフローチャートである。
【図１５】一方の画面でパスワード入力中に他方の画面に警告を表示する例を示す説明図である。
【図１６】一方の画面でパスワード入力中に他方の画面に警告を表示する処理手順を示すフローチャートである。
【図１７】優先順位の切り替え例を示す説明図である。
【図１８】二重認証の例を示す説明図である。
【図１９】二重認証の処理手順を示すフローチャートである。
【図２０】入力したパスワードを決定する場合の画面の例を示す説明図である。
【図２１】決定画面の表示処理手順を示すフローチャートである。
【図２２】決定画面の表示処理手順を示すフローチャートである。
【図２３】決定画面上のＯＫボタンの移動の時間間隔を設定する画面の例を示す説明図である。
【図２４】親展印刷の印刷順序の表示例を示す説明図である。
【図２５】親展印刷の印刷順序の表示処理手順を示すフローチャートである。
【図２６】左右両画面で親展印刷を行った場合に印刷物を区別する方法の一例を示す説明図である。
【図２７】親展印刷時の印刷手順を示すフローチャートである。
【図２８】左右両画面で親展印刷を行った場合に印刷物を区別する方法の他の例を示す説明図である。
【符号の説明】
【０１４９】
１０  印刷装置
１１  ネットワークインタフェース部
１２  制御部
１３  画像メモリ
１４  記憶部
１５  画像処理部
１６  印字画像生成部
１７  印字処理部
１８  液晶表示コントローラ
１９  ユーザインタフェース部
３０  通信ネットワーク
４０  ＰＣ
５０  サーバ
１９１  液晶表示パネル
１９２  タッチパネル
１９３  タッチ位置検出部
【図１】
2008155599.tif 000003
【図２】
2008155599.tif 000004
【図３】
2008155599.tif 000005
【図４】
2008155599.tif 000006
【図５】
2008155599.tif 000007
【図６】
2008155599.tif 000008
【図７】
2008155599.tif 000009
【図８】
2008155599.tif 000010
【図９】
2008155599.tif 000011
【図１０】
2008155599.tif 000012
【図１１】
2008155599.tif 000013
【図１２】
2008155599.tif 000014
【図１３】
2008155599.tif 000015
【図１４】
2008155599.tif 000016
【図１５】
2008155599.tif 000017
【図１６】
2008155599.tif 000018
【図１７】
2008155599.tif 000019
【図１８】
2008155599.tif 000020
【図１９】
2008155599.tif 000021
【図２０】
2008155599.tif 000022
【図２１】
2008155599.tif 000023
【図２２】
2008155599.tif 000024
【図２３】
2008155599.tif 000025
【図２４】
2008155599.tif 000026
【図２５】
2008155599.tif 000027
【図２６】
2008155599.tif 000028
【図２７】
2008155599.tif 000029
【図２８】
2008155599.tif 000030